(57)【要約】【課題】たすき掛け筋かいの交差部分の固定を確実に行って強度の向上を図るとともに、簡易な施工を可能とする。【解決手段】筋かい２２の交差部分２２ａを固定する筋かい固定金物１１において、交差部分２２ａの谷間２２ｂで筋かい２２の厚さ方向に沿って延びる本体部１２と、本体部１２の側部に設けられて、筋かいの上記谷間２２ｂにおける両側の傾斜面２２ｃに固定される斜片部１３，１３と、交差部分２２ａの谷間２２ｂに取り付けられる間柱２３の端部を固定する起立片とを備えた筋かい固定金物１１。この筋かい固定金具１１を用いて、筋かい２２と間柱２３を固定してパネル化する。【選択図】図２
2009167712.tif 000002
【特許請求の範囲】
【請求項１】
筋かいの交差部分を固定する筋かい固定金物であって、
上記交差部分の谷間で筋かいの厚さ方向に沿って延びる本体部と、
該本体部の側部に設けられて、筋かいの上記谷間における両側の傾斜面に固定される斜片部を備えた
筋かい固定金物。
【請求項２】
前記斜片部の縁に、筋かいの厚さ方向の面に当接する当接片が形成された
請求項１に記載の筋かい固定金物。
【請求項３】
前記本体部の側部に、筋かいの交差部分に取り付けられる間柱の端部を固定する起立片が立設された
請求項１または請求項２に記載の筋かい固定金物。
【請求項４】
前記請求項１または請求項２に記載の筋かい固定金物と、該筋かい固定金物に固定された筋かいとを有する
筋かいパネル。
【請求項５】
前記請求項３に記載の筋かい固定金物と、該筋かい固定金物に固定された筋かいおよび間柱とを有する
筋かいパネル。
【請求項６】
前記筋かいの端部と間柱との間隔を保持する間隔保持助具が備えられた
請求項５に記載の筋かいパネル。
【発明の詳細な説明】
【技術分野】
【０００１】
この発明は、軸組の強度を向上するために用いられる筋かいの交差部分を固定するための筋かい固定金物に関し、より詳しくは、かかる力をより効果的に減殺して軸組の変形を防げるような筋かい固定金物と、これを用いた筋かいパネルに関する。
【背景技術】
【０００２】
筋かいの交差部分を固定する金物としては、たとえば下記特許文献１に開示されたものがある。この金物は、柱と横架材で囲まれた空間内に斜めに突っ張るように固定される筋かいの中央部分を一体的にするためのもので、筋かいの幅寸法に対応する幅の略長方形板状に形成されている。この金物によって固定される筋かいは、対角線上に掛け渡される長い部材と、これの中間部に突き合わされる２本の短い部材とからなり、金物はこれらの交差部分に重合されて釘により固定される。なお、金物の長手方向における両側の一端部と他端部とには、筋かいを構成する各部材を位置決めするための位置決め縁が折曲により一体に設けられている。
【０００３】
そしてこの金物で固定された筋かいは、四方の枠体と、中央に設けられる縦材と、奥側の一面に張り付けられる化粧板に結合して一体のパネルとされる。このようなパネルを用いれば、柱と横架材でできる開口に嵌め込むだけで固定できるので、現場での作業を単純化し、工期を短縮することができる利点がある。
【０００４】
【特許文献１】特開２００４‐３３９８６８号公報
【発明の開示】
【発明が解決しようとする課題】
【０００５】
しかし、上記のような構造の金物で行う筋かいの交差部分の固定は、筋かいの厚さ方向の一面を単に一体的に保持するものであり、筋かいに作用する引っ張りや圧縮の力を考慮して、筋かいの角度を積極的に保とうとするものではない。金物には上記のような位置決め縁が存在するが、この位置決め縁には、筋かいの角度を積極的に保持する機能はない。
【０００６】
そこでこの発明は、筋かいの交差部分の角度を確実に保持するようにして筋かいの交差部分の固定を行うことで、引っ張りに強い木材の特性を生かして、強度を向上できるようにするとともに、簡易な施工ができるようにすることを目的とする。
【課題を解決するための手段】
【０００７】
そのための手段は、筋かいの交差部分を固定する筋かい固定金物であって、上記交差部分の谷間で筋かいの厚さ方向に沿って延びる本体部と、該本体部の側部に設けられて、筋かいの上記谷間における両側の傾斜面に固定される斜片部を備えた固定金物である。なお、筋交いの交差部分は、１本の長い部材に２本の短い部材を突き合わせて構成するほか、２本の長い部材を重ね合わせるようにして構成することもできる。
【０００８】
筋かいに固定された２個の斜片部が本体部を介して一体であり、筋かいの一方側に引っ張りや圧縮の力がかかったときに、筋交いの他方側に力を伝達して、この他方側にかかる力を緩和する。
【０００９】
上記の斜片部の縁には、筋かいの厚さ方向の面に当接する当接片を形成するとよい。当接片は、片側の縁に形成することも、両側の縁に形成することもできる。当接縁が筋かいの厚さ方向での位置を規制し、より強固な固定が可能である。
【００１０】
また、上記本体部の側部に、筋かいの交差部分に取り付けられる間柱の端部を固定する起立片が立設されるとよい。間柱も一体に固定できる。
【００１１】
別の手段は、筋かいが、または筋かいと間柱が、上記の筋かい固定金物で固定された筋かいパネルである。
【００１２】
間柱を固定する場合には、筋かいの端部と間柱との間隔を保持する間隔保持具を備えるとよい。筋かいと間柱の位置関係が安定し、取り扱いや嵌め込みが容易である。
【発明の効果】
【００１３】
以上のように、この発明によれば、筋かい固定金具を筋かいの間の谷間に嵌め込むように固定し、筋かいの内側において筋かいの固定状態を保持するので、より強固な固定状態を得られる。
【００１４】
しかも、筋かいの一方側にかかった引っ張りまたは圧縮の力を筋かいの他方側に減殺して伝えるので、引っ張りに強いという木材の利点を生かして、耐力を高めることができる。
【発明を実施するための最良の形態】
【００１５】
この発明を実施するための一形態を、以下図面を用いて説明する。  
図１は、木造建築の軸組における筋かいの交差部分を固定する筋かい固定金物１１（以下、「金物」という。）の斜視図であり、図２は、この金物１１を用いて構成した筋かいパネル２１の正面図である。この筋かいパネル２１は、図３に示したように柱材３１，３１と横架材３２，３２で囲まれた開口部３３内に嵌め込んで、図４に示したような状態で使用されるものであり、軸組の強度を向上する。
【００１６】
上記の金物１１は、図１に示したように１枚の金属板をプレス加工などして製造され、筋かい２２の交差部分２２ａにおける筋かいの谷間２２ｂで筋かい１１の厚さ方向に沿って延びる本体部１２と、この本体部１２の両側縁に設けられて、筋かい２２の谷間２２ｂにおける両側の傾斜面２２ｃに固定される２枚の斜片部１３，１３と、同じく本体部１２の両側縁に設けられて間柱２３の端部を固定する２本の起立片１４，１４とを有する。
【００１７】
なお、図２に示したように、この例の金物１１で固定する筋かい２２は、同一形状の２本の筋かい部材２４，２４を互いに重ね合わせて交差させるものである。このため、金物１１のそれぞれ２枚の斜片部１３，１３と起立片１４，１４は、本体部１２の対角線上の位置に配設される。
【００１８】
上記の本体部１２は、重ね合わせた２本の筋かい部材２４，２４の厚さに対応する長さか、それよりも長い適宜長さの長方形板状に形成されている。この本体部１２は、間柱２３の端面（小口）を受ける受け部にもなる部分であるが、筋かい２２の谷間２２ｂに食い込むように三角形状に形成することもできる。この場合には、間柱２３の端部もそれに対応する形成に加工する。
【００１９】
上記の斜片部１３は、筋かい２２の谷間２２ｂの傾斜角に沿った角度で斜め上外方に向けて延びる。この角度は、金物１１を用いた筋かいパネル２１を嵌め込む部分（開口部３３）の形状に応じて適宜設定される。そして、各斜片部１３，１３における本体部１２の長さ方向中間側の縁には、直角に折り曲げられた当接片１３ａが形成されている。当接片１３ａは、筋かい部材２４の厚さ方向の内側の面に当接する部分である。
【００２０】
これら斜片部１３，１３と当接片１３ａには、複数の貫通孔１５…が適宜形成され、筋かい部材２４，２４に対する固定は釘（図示せず）により行う。
【００２１】
上記の起立片１４，１４は、本体部１２の両側縁から垂直に起立する長方形板状に形成される。これらの起立片１４，１４は、間柱２３の端部の側面に固定される部分で、釘止め用の複数の貫通孔１５…が形成されている。図中１４ａは、本体部１２の幅方向で対向している斜片部１３の貫通孔１５…に釘を刺すときの便宜のためのぬすみである。
【００２２】
このような形状に構成された金物１１は、重ね合わせた状態で交差させた２本の筋かい部材２４，２４の交差部分２２ａの上下両側の谷間２２ｂ，２２ｂに取り付けて使用される。そしてこの金物１１には、２本の間柱２３の端部を固定する。２本の間柱２３，２３は、筋かい部材２４，２４の端部に略対応する位置まで延び、柱材３１，３１と横架材３２，３２によって形成された開口部３３に嵌め込め込んだときに開口部３３内で突っ張るように設定されている。
【００２３】
筋かい部材２４，２４と間柱２３，２３の固定は、上述のように釘で行えばよく、必要に応じてその他の適宜の手段を付加的に用いることもできる。図５は、金物１１による固定状態を示す拡大図であり、この図に示すように２本の筋かい部材２４，２４は中間部分が一定の角度に保持された状態で固定される。なお、交差部２２ａの上下の谷間２２ｂ，２２ｂに固定される金物１１は同一形状である。
【００２４】
また、筋かい部材２４，２４と間柱２３の端部間には、図７、図８に示したように、筋かい部材２４，２４と間柱２３との間隔を保持する間隔保持具２５が固定される。この間隔保持具２５は、金属板をプレス加工などして製造され、筋かい部材２４，２４の端部における直角をなす２つの端面を覆う筋かい部材固定部２５ａと、間柱２３の側面に沿う間柱固定部２５ｂと、これらを連結する連結部２５ｃとを有する。いずれも方形板状に形成されるとともに、複数の貫通孔２５ｄ…が形成され、釘による固定に備えている。なお、図示例では、上記の連結部２５ｃの幅を狭く（細く）設定したが、筋かい部材２本分の幅に設定した筋かい部材固定部２５ａと同一の幅に形成することもできる。また、間隔保持具２５は、間柱２３部分で分けないで筋かい２２の幅に対応する長さに形成することもできる。
【００２５】
このような間隔保持具２５の取り付けにより、筋かい部材２４，２４と間柱２３の間隔は固定され、１枚の筋かいパネル２１となる。
【００２６】
このようにして構成された筋かいパネル２１は、図３、図６に示したように柱材３１，３１と横架材３２，３２によって囲まれた開口部２３に嵌め込んで使用される。嵌め込んだ後の固定は適宜行うが、上記の間隔保持具２５の使用されていない貫通孔２５ｄも利用して行う。これによって開口部３３の隅部の強固な緊結に資する。そして固定後は、真壁や大壁の形態を考慮して、上から構造用合板を張り付けるなどの適宜の作業を行い、所望の外壁や間仕切り壁などを構成する。なお、図６では便宜上、間隔保持具２５を省略して図示した。
【００２７】
上記のような金物１１を用いて構成された筋かいパネル２１では、金物１１における各筋かい部材２４，２４に固定された２個の斜片部１３，１３が本体部１２を介して一体であり、一方側の筋かい部材２４に引っ張りや圧縮の力がかかったときに、他方側の筋かい部材２４に力を伝達して、この他方側の筋かい部材２４にかかる力を緩和する。具体的には、軸組が横力を受けると交差した２本の筋かい部材２４，２４のうちの一方は引っ張りの、他方は圧縮の作用を受けて開口部３３が変形しようとするが、このときに金物１１が筋かい２２の交差部分２２ａの谷間２２ｂに食い込んだ状態で筋かい２２の内側において各筋かい部材２４，２４のなす角度を一定に保ちながら傾こうとする。これにより、一方の筋かい部材２４にかかった引っ張り力が他方の筋かい部材２４にかかる圧縮の作用に対して、この圧縮によってかかる力と反対側に向けた力を作用する。すなわち、圧縮の力を緩和する。いわば引っ張りに強い木材の利点を活用して、開口部３３の変形を防止する。このため、高い強度をえられる。
【００２８】
筋かい部材２４を固定する金物１１の斜片部１３の縁には、筋かい部材２４の厚さ方向の面に当接する当接片１３ａが形成されているので、筋かい部材２４を筋かい部材２４の厚さ方向でも位置規制できて、強固な固定状態を得られる。
【００２９】
その上、間柱２３も一体に固定できるので、さらなる強度の向上を図ることができる。しかも、間柱２３は間隔保持具２５によって筋かい部材２４と一定の間隔になるように固定されているので、強度は高い。
【００３０】
しかも、間隔保持具２５によって、金物１１と２本の筋かい部材２４，２４と２本の間柱２３，２３とが強固に一体化できるので、取り扱いが容易であるとともに、嵌め込み作業も容易に行える。
【００３１】
以下、その他の形態について説明する。この説明において、先の構成と同一または同等の部分については同一の符号を付して詳しい説明を省略する。
【００３２】
図９は、他の例に係る金物１１とこれを用いた筋かいパネル２１の固定状態を示す横断面図である（便宜上、間隔保持具の図示を省略している。）。先の例では、交差する２本の筋かい部材２４，２４を相互に重合させたが、図９に示した筋かいパネル２１では、筋かい部材２４，２４同士の間に隙間を設けて、各筋かい部材２４，２４の厚み方向側の面が、柱材３１，３１と面一になるようにしている。この場合には、図示しないが、筋かい部材２４，２４の間にスペーサや緩衝部材、柱材同士を連結する長ボルトなどを介在させるとよい。
【００３３】
図１０は、縦横の比が図２に示したものと異なる筋かいパネル２１の正面図である。この図に示すように、金物１１の斜片部１３，１３の角度の設定を適宜変えることによって、様々な大きさの開口部に固定できる筋かいパネル２１が得られる。なお、図１０に示した例では、金物１１に固定した間柱２３のほかに２本の間柱２６，２６も一体化している。すなわち、筋かい部材２４の端部と中間部との間に、上下に延びる間柱２６を２本固定する。そして、筋かい部材２４の端部と各間柱２３，２６，２６との間には、間隔保持具２５…を取り付けている。
【００３４】
図１１は、金物１１の他の例に係る斜視図であり、この金物１１は、１本の長い筋かい部材（図示せず）と２本の短い筋かい部材（図示せず）とかなる筋かいの交差部分に固定するのに用いられるものである。この金物１１は、本体部１２の両側縁から、その長さ全体に斜片部１３，１３を延設し、これら斜片部１３，１３の幅方向の中間部を切り起こして起立片１４，１４を備えた構造である。そして、斜片部１３，１３の両側縁には当接片１３ａ，１３ａが形成されている。
【００３５】
このような構造の金物１１では、図示を省略するが、各筋かい部材を交差するように結合するとともに、各筋かい部材の谷間に嵌め込むように固定し、その上で、起立片を利用して間柱を固定する。そして、間隔保持具を取り付けて、筋かいパネルを得る。
【００３６】
これら図９、図１０に示した筋かいパネル２１や、図１１に示した金物１１を用いた筋かいパネルを固定した軸組では、上述したようにして各筋かい部材２４，２４にかかる負荷が緩和されるので、強度の向上を図ることができる。
【００３７】
以上はこの発明を実施するための一形態であって、この発明の上記の構成のみに限定されるもではなく、その他の形態を採用することができる。  
たとえば、筋かい固定金物は、筋かいの交差部分の４箇所の谷間のすべてに固定するもよい。  
また、起立片に対して、上記の当接片と同様の構造を設けることもできる。
【図面の簡単な説明】
【００３８】
【図１】筋かい固定金物の斜視図。
【図２】筋かいパネルの正面図。
【図３】筋かいパネルの使用方法を示す説明図。
【図４】筋かいパネルの使用状態の正面図。
【図５】筋かいパネルの要部の正面図。
【図６】筋かいパネルの固定状態の横断面図。
【図７】筋かいパネルの上端部の正面図。
【図８】間隔保持具の斜視図。
【図９】他の例に係る筋かいパネル固定金具を用いた筋かいパネルの使用状態の横断面図。
【図１０】他の例に係る筋かいパネルの正面図。
【図１１】他の例に係る筋かいパネルの斜視図。
【符号の説明】
【００３９】
１１…筋かい固定金物
１２…本体部
１３…斜片部
１３ａ…当接片
１４…起立片
２１…筋かいパネル
２２…筋かい
２２ａ…交差部分
２２ｂ…谷間
２２ｃ…傾斜面
２３…間柱
２５…間隔保持具
【図１】
2009167712.tif 000003
【図２】
2009167712.tif 000004
【図３】
2009167712.tif 000005
【図４】
2009167712.tif 000006
【図５】
2009167712.tif 000007
【図６】
2009167712.tif 000008
【図７】
2009167712.tif 000009
【図８】
2009167712.tif 000010
【図９】
2009167712.tif 000011
【図１０】
2009167712.tif 000012
【図１１】
2009167712.tif 000013